(57)【要約】【課題】データキャリアシステムの持つ１つの特徴である、近距離無線に着目し、その近距離であるが故の有用性を利用した装置を実現する。【解決手段】携帯電話機２０にＩＣタグ１０を検知するＩＣタグ検知装置が内蔵される。そして、当該ＩＣタグ検知装置と、例えば、傘４０−１、財布４０−２、帽子４０−３、鞄４０−４等の持ち物４０にそれぞれ取り付けられたＩＣタグ１０とが無線通信を行う。ＩＣタグ検知装置は、検知対象のＩＣタグ１０の内の何れか１つでも検知できない場合、即ち通信可能な範囲内に存在しないＩＣタグ１０を検出した場合を、携帯電話機２０のアラーム機能等により報知する。【選択図】　　　図１
2004013789.tif 000002
【特許請求の範囲】
【請求項１】
当該ＩＣタグを識別するための識別情報を記憶したＩＣタグ複数と無線通信を行うＩＣタグ検知装置であって、
前記各ＩＣタグの識別情報を記憶する記憶手段と、
所定の時間毎に前記ＩＣタグそれぞれと通信を実行して、前記記憶手段に記憶された識別情報に対応するＩＣタグの存否を判定するＩＣタグ判定手段と、
前記ＩＣタグ判定手段により存在しないと判定されたＩＣタグがあった場合に、所定の報知を行う報知手段と、
を備えたことを特徴とするＩＣタグ検知装置。
【請求項２】
請求項１記載のＩＣタグ検知装置を備えたことを特徴とする携帯電話機。
【発明の詳細な説明】
【０００１】
【発明の属する技術分野】
本発明は、無線通信によりＩＣタグを検知するＩＣタグ検知装置、及び当該ＩＣタグ検知装置を備えた携帯電話機に関する。
【０００２】
【従来の技術】
移動体に取り付けられる応答機及び定位置に設置される質問機との間で、電磁誘導による無線通信を行う非接触式のデータキャリアシステムが知られている。このデータキャリアシステムにおける応答機と質問機との無線通信は、応答機の種類に応じて数メートル程度までの無線通信が可能であり、その種類は、通信可能な距離に応じて、密着型、近接型、近傍型、マイクロ波型等に分類される。
【０００３】
【発明が解決しようとする課題】
ところで、上述したデータキャリアシステムは、質問機が、応答機に記憶される識別情報等の各種データを読み出すものである。即ち、例えば、商品に取り付けられた応答機に記憶された単品情報を読み出すことにより、質問機側が、在庫確認、納品時の伝票作成、或いは当該商品の価格の表示処理等を行う。また、検品システムにおいては、ＩＣタグに記憶された単品情報を読み出すことにより開梱せずに検品することが可能である。このように、データキャリアシステムを利用した処理は、無線通信によって得られるデータに基づくものであった。
【０００４】
データキャリアシステムの持つもう１つの特徴である、近距離無線に着目し、その近距離であるが故の有用性を利用した装置を実現することが本発明の目的である。
【０００５】
【課題を解決するための手段】
以上の課題を解決するため、請求項１記載の発明は、
当該ＩＣタグを識別するための識別情報を記憶したＩＣタグ複数と無線通信を行うＩＣタグ検知装置であって、
前記各ＩＣタグの識別情報を記憶する記憶手段と、
所定の時間毎に前記ＩＣタグそれぞれと通信を実行して、前記記憶手段に記憶された識別情報に対応するＩＣタグの存否を判定するＩＣタグ判定手段と、
前記ＩＣタグ判定手段により存在しないと判定されたＩＣタグがあった場合に、所定の報知を行う報知手段と、
を備えたことを特徴としている。
【０００６】
この請求項１記載の発明によれば、ＩＣタグとＩＣタグ検知装置との無線通信の結果、ＩＣタグ検知装置により検知できないＩＣタグが検出された場合を、ユーザに報知することができる。また、ＩＣタグ検知装置は、ＩＣタグに割り当てられた識別情報により、検知したＩＣタグを識別することができる。従って、請求項１記載の発明は、外出時の持ち物にＩＣタグをそれぞれ取り付けることによる忘れ物防止や、子供や老人にＩＣタグを取り付けることによる迷子防止や徘徊防止等を目的とするシステムに有効である。
【０００７】
また、請求項２記載の携帯電話機は、
請求項１記載のＩＣタグ検知装置を備えたことを特徴としている。
【０００８】
この請求項２記載の発明によれば、ＩＣタグとの無線通信機能を備えた携帯電話機を実現することができる。従って、検知対象のＩＣタグとの無線通信が不可能な状態を、携帯電話機が備えるアラーム装置によるアラーム音、振動装置による振動、或いは表示装置へのメッセージ表示等により報知することができる。
【０００９】
【発明の実施の形態】
以下、図を参照して、本発明の実施の形態について詳細に説明する。本実施の形態は、ユーザの所有する携帯電話機にＩＣタグ検知装置を内蔵するとともに、当該ユーザの所有する持ち物にＩＣタグを取り付けることにより、ＩＣタグ検知装置が所定の時間間隔でＩＣタグと無線通信を行い、当該ＩＣタグを検知するものである。
【００１０】
図１に、本実施の形態におけるＩＣタグ検知システム１の全体構成を示す。同図に示すように、ＩＣタグ検知システム１において、例えば、傘４０−１、財布４０−２、帽子４０−３、鞄４０−４等の持ち物４０にそれぞれ取り付けられたＩＣタグ１０と、携帯電話機２０に内蔵されたＩＣタグ検知装置とが、無線通信を行う。より具体的には、携帯電話機２０に内蔵されたＩＣタグ検知装置は、通信可能な範囲内に存在するＩＣタグ１０と所定の時間間隔で無線通信を行い、持ち物４０の置き忘れ等による、当該持ち物４０に取り付けられたＩＣタグ１０との通信不可能状態を監視する。
【００１１】
また、ＩＣタグ１０は、例えば、可燃性の有機薄膜トランジスタ（有機ＴＦＴ）で構成すれば、使い捨てのＩＣタグとして有効である。
【００１２】
図２に、ＩＣタグ１０の機能構成の一例を示す。同図に示すように、ＩＣタグ１０は、特に、コイル１２と、電源回路１４と、タグ側制御部１６とを備える。コイル１２は、後述するＩＣタグ検知装置３０のコイル３２（図４参照）と電磁誘導による無線通信を行うためのものである。電源回路１４は、コイル１２において生じた電磁誘導による電流を整流し、所定の電圧をタグ側制御部１６に供給する回路であって、ダイオード及びコンデンサ等により構成される。タグ側制御部１６は、電源回路１４から供給される電圧によって自動的に起動され、ＩＣタグ検知装置３０との無線通信を制御する。特に、タグ側制御部１６は、識別ＩＤ格納領域１６２を備えたメモリ１６０を有し、当該識別ＩＤ格納領域１６２に記憶された識別ＩＤを、コイル１２を介してＩＣタグ検知装置３０へ送信する。ＩＣタグ検知装置３０は、当該識別ＩＤにより各ＩＣタグ１０を認識する。
【００１３】
図３に、識別ＩＤ格納領域１６２に格納される識別ＩＤの一例を示す。同図において、識別ＩＤとして“ＩＤ００１３”が記憶されている。この識別ＩＤは、ＩＣタグ１０それぞれに固有の情報であり、ＩＣタグ検知装置３０は、この識別ＩＤによりＩＣタグ１０を正しく認識することができる。尚、ユーザ操作等により、識別ＩＤを、例えば、ユーザを識別するための個人ＩＤと、各持ち物を識別するための持ち物ＩＤとから構成されるＩＣタグ１０それぞれに固有の情報として登録し、当該識別ＩＤを認識してＩＣタグ１０を検知する際のＩＣタグ検知システム１の誤動作を防止することとしてもよい。
【００１４】
次に、図４を参照して、ＩＣタグ１０を検知するＩＣタグ検知装置３０を組み込んだ携帯電話機２０の機能構成について説明する。同図において、携帯電話機２０は、ＣＰＵ（Ｃｅｎｔｒａｌ　Ｐｒｏｃｅｓｓｉｎｇ　Ｕｎｉｔ）２１、操作装置２２、表示装置２３、スピーカ２４、マイク２５、アラーム装置２６、ＲＡＭ（Ｒａｎｄｏｍ　Ａｃｃｅｓｓ　Ｍｅｍｏｒｙ）２７、ＲＯＭ（Ｒｅａｄ　Ｏｎｌｙ　Ｍｅｍｏｒｙ）２８、通信装置２９、ＩＣタグ検知装置３０等から構成され、各機能部はシステムバス３６により接続されている。
【００１５】
ＣＰＵ２１は、操作装置２２を介して入力される指示等に応じて所定のプログラムに基づいた処理を実行し、各機能部への指示やデータの転送等を行う。具体的には、ＣＰＵ２１は、操作装置２２を介して入力される操作信号に応じて、ＲＯＭ２８内に格納された各種プログラムを読み出してＲＡＭ２７に展開し、当該プログラムに基づく処理を実行し、処理結果を表示するための表示信号を表示装置２３に出力して、当該表示信号に対応した表示情報を表示させる。
【００１６】
操作装置２２は、数値や文字の入力、或いは機能選択等に必要なボタンを備え、押下されたボタンの押下信号等をＣＰＵ２１に出力する。
【００１７】
表示装置２３は、例えば、有機ＥＬ（Ｅｌｅｃｔｒｏ　Ｌｕｍｉｎｅｓｃｅｎｃｅ）やＬＣＤ（Ｌｉｑｕｉｄ　Ｃｒｙｓｔａｌ　Ｄｉｓｐｌａｙ）等で構成された表示装置であり、ＣＰＵ２１から入力される表示信号に基づいた各種画面を表示する。
【００１８】
スピーカ２４は、アラーム装置２６から出力されたアラーム音や、ＣＰＵ２１や通信装置２９から入力された音声信号に応じた音声（音を含む）等を出力する。また、マイク２５は、通話時等において取得したユーザの音声信号を、ＣＰＵ２１や通信装置２９へ出力する。
【００１９】
アラーム装置２６は、ブザー等で構成される音を出力する装置を備え、ＩＣタグ検知装置３０からの警報信号が入力された際に、アラーム音をスピーカ２４に出力する。
【００２０】
ＲＡＭ２７は、ＣＰＵ２１が実行する各種プログラムや、これらプログラムの実行に係るデータ等を一時的に格納するメモリ領域を備える。
【００２１】
ＲＯＭ２８には、各種初期設定値や、ＩＰＬ（Ｉｎｉｔｉａｌ　Ｐｒｏｇｒａｍ　Ｌｏａｄｅｒ）プログラム等が格納される。ＣＰＵ２１は、携帯電話機２０の電源投入時にこのＩＰＬプログラムを実行することにより、携帯電話機２０の動作環境を設定する。また、ＲＯＭ２８には、携帯電話機２０の動作に係る各種処理プログラムや、携帯電話機２０の備える種々の機能を実現するためのプログラムやデータ等が格納される。
【００２２】
通信装置２９は、アンテナ（図示略）が接続されており、このアンテナを介して通信先との間で無線信号の送受信を行うとともに、携帯電話機２０の現在位置を示す位置信号を、アンテナを介して所定の時間毎に基地局（図示略）に対して送信する。例えば、着呼指示を示す無線信号を受信すると着信音をスピーカ２４から出力させ、発呼指示が入力されると、基地局との間で無線通信回線を接続する。また、通話時等においては、受信した音声データに基づく音声信号を復元してスピーカ２４に出力するとともに、マイク２５において検出された音声信号に基づく音声データを基地局へ無線送信する。
【００２３】
ＩＣタグ検知装置３０は、特に、コイル３２と、検知装置側制御部３４とを備え、ＩＣタグ１０との間でコイル３２を介して無線通信を行う。具体的には、検知装置側制御部３４は、所定の時間毎にコイル３２に流す電流量および電圧値を制御して変化させて、ＩＣタグ１０との無線通信を実行し、ＩＣタグ１０から受信した識別ＩＤにより、当該ＩＣタグ１０を識別する。この検知装置側制御部３４は、特に、ＩＣタグ検知プログラム３４２と持ち物一覧テーブル３４４とを格納したメモリ３４０を有する。
【００２４】
図５に、持ち物一覧テーブル３４４の一例を示す。同図に示すように、持ち物一覧テーブル３４４には、ＩＣタグ１０が取り付けられた持ち物データが、持ち物名と、当該持ち物に取り付けられたＩＣタグ１０の識別ＩＤと、当該ＩＣタグ１０の検知処理を実行するか否かを判断するための検知フラグとを対応付けたデータ形式で蓄積されている。検知フラグは、例えば、外出時に持ち出すか否か等に応じてユーザにより操作装置２２を介して手動で設定される値であり、例えば、ＩＣタグ検知装置３０は、検知フラグが“ＯＮ”のＩＣタグ１０を検知対象とする。
【００２５】
また、検知装置側制御部３４は、操作装置２２を介して入力された持ち物データの登録操作に応じて、持ち物名と、当該持ち物に取り付けられたＩＣタグ１０に割り当てられた識別ＩＤと、検知フラグとを対応付けた持ち物データを作成し、持ち物一覧テーブル３４４に追加する。
【００２６】
次に、本実施の形態におけるＩＣタグ検知システム１の動作について説明する。図６は、ＩＣタグ検知処理の実行に係る検知装置側制御部３４の処理フローを示す図である。
【００２７】
先ず、検知装置側制御部３４は、前回のＩＣタグ検知処理実行時からの経過時間を計時し、所定の時間が経過した際に、ＩＣタグ検知プログラム３４２の実行を開始してＩＣタグ１０との無線通信を開始する（ステップＳ１０）。そして、検知装置側制御部３４は、ＩＣタグ１０から送信された識別ＩＤを受信する（ステップＳ２０）。そして、検知装置側制御部３４は、持ち物一覧テーブル３４４を参照して、検知フラグに“ＯＮ”が設定された全てのＩＣタグ１０の識別ＩＤを受信したか否かにより、検知対象であるＩＣタグ１０を全て検知したかを判断する（ステップＳ３０）。
【００２８】
そして、検知装置側制御部３４は、該当するＩＣタグ１０を全て検知したと判断した場合には、ステップＳ１０に戻って上述した処理を繰り返し、ＩＣタグ１０が取り付けられた持ち物の置き忘れ等による当該ＩＣタグ１０との通信不可能状態を監視する。
【００２９】
また、検知装置側制御部３４は、ステップＳ３０において検知対象のＩＣタグ１０の内の何れか１つでも検知できないと判断した場合には、アラーム装置２６に警報信号を送信する（ステップＳ４０）。アラーム装置２６は、検知装置側制御部３４から入力された警報信号に応じてアラーム音をスピーカ２４に出力して、検知できないＩＣタグ１０が存在することを報知する。
【００３０】
尚、この報知の方法はアラーム音の出力に限定するものではなく、例えば、バイブレータ等で構成される振動装置を振動させることで報知してもよい。即ち、検知装置側制御部３４は、検知対象のＩＣタグ１０の内の何れか１つでも検知できないと判断した場合に、振動装置に振動開始信号を送信し、当該振動装置を作動させることにより報知動作を行う。また、携帯電話機２０の表示装置２３上に、該当するＩＣタグ１０が検知できないことを報知するメッセージ、或いは当該ＩＣタグ１０が取り付けられた持ち物の置き忘れ等の確認を促すメッセージ等を表示して報知動作を行うこととしてもよい。
【００３１】
以上説明したように、本実施の形態によれば、携帯電話機２０にＩＣタグ検知装置３０を内蔵することにより、携帯電話機２０にＩＣタグ１０との無線通信機能をもたせることで、検知対象のＩＣタグ１０との無線通信が不可能な状態を、携帯電話機２０が備えるアラーム装置２６のアラーム音、或いは表示装置２３へのメッセージ表示等により報知することができる。従って、ＩＣタグ１０との通信可能な所定の範囲内に検知対象となるＩＣタグ１０が存在するか否かを監視することができる。また、複数のＩＣタグ１０を、各ＩＣタグ１０に割り当てられた識別情報により識別するので、外出時の持ち物にＩＣタグ１０をそれぞれ取り付けることにより、当該持ち物の置き忘れ等を防止することができる。さらに、各ＩＣタグ１０を検知するか否かの設定変更が可能であり、検知対象のＩＣタグ１０を選択することができる。
【００３２】
尚、上述した実施の形態例においては、ＩＣタグ検知装置３０を携帯電話機２０に内蔵した場合を例にとって説明したが、ＩＣタグ検知装置と携帯電話機とを別体としても構わない。図７に、ＩＣタグ検知システム２の全体構成を示す。同図に示すように、ＩＣタグ検知システム２において、例えば、傘４０−１、財布４０−２、帽子４０−３、鞄４０−４等の持ち物４０にそれぞれ取り付けられたＩＣタグ１０と、ＩＣタグ検知装置５０とが、無線通信を行う。また、このＩＣタグ検知装置５０は、携帯電話機６０と通信可能に構成されている。そして、ＩＣタグ検知装置５０は、該当する持ち物４０に取り付けられたＩＣタグ１０との通信不可能状態を監視し、通信不可能なＩＣタグ１０を検出した場合に、警報信号を携帯電話機６０に通知する。携帯電話機６０は、ＩＣタグ検知装置５０から受信した警報信号に応じて、アラーム音を出力する。
【００３３】
また、この場合には、ＩＣタグ検知装置５０は、数値や文字の入力、或いは機能選択等に必要なボタン等で構成される操作装置と、各種画面を表示するための有機ＥＬやＬＣＤ等で構成された表示装置を備え、持ち物データの登録や、例えば、登録された持ち物に取り付けられたＩＣタグ１０を検知対象とするか否かの設定等が可能である。
【００３４】
また、上述した実施の形態例においては、ＩＣタグ検知装置３０を携帯電話機２０に内蔵することとしたが、ＩＣタグ検知装置を独立に機能させることとしてもよい。即ち、ユーザは、アラーム装置等の報知手段を備えたＩＣタグ検知装置を所持し、ＩＣタグ検知装置は、当該ユーザの持ち物に取り付けられたＩＣタグとの通信不可能状態を監視するとともに、通信不可能なＩＣタグを検出した場合を報知手段により報知する。
【００３５】
また、本実施の形態においては、持ち物にＩＣタグを取り付けて、ＩＣタグ検知装置との通信により当該持ち物の置き忘れ等を監視する場合を例にとって説明したが、例えば、子供や老人の着衣等にＩＣタグを取り付ければ、ＩＣタグ検知装置との通信可能な範囲外への移動を監視できるので、迷子防止や徘徊防止等に有効である。
【００３６】
【発明の効果】
以上説明したように、本発明によれば、ＩＣタグとＩＣタグ検知装置との無線通信の結果、ＩＣタグ検知装置により検知できないＩＣタグが検出された場合を、ユーザに報知することができる。また、ＩＣタグ検知装置は、ＩＣタグに割り当てられた識別情報により、検知したＩＣタグを識別することができる。従って、請求項１記載の発明は、外出時の持ち物にＩＣタグをそれぞれ取り付けることによる忘れ物防止や、子供や老人にＩＣタグを取り付けることによる迷子防止や徘徊防止等を目的とするシステムに有効である。
【００３７】
さらに、ＩＣタグとの無線通信機能を備えた携帯電話機を実現することができる。従って、検知対象のＩＣタグとの無線通信が不可能な状態を、携帯電話機が備えるアラーム装置によるアラーム音や、表示装置へのメッセージ表示等により報知することができる。
【図面の簡単な説明】
【図１】本実施の形態におけるＩＣタグ検知システムの全体構成を示す図である。
【図２】本実施の形態におけるＩＣタグの機能構成を示す図である。
【図３】識別ＩＤ格納領域に格納される識別ＩＤの一例を示す図である。
【図４】本実施の形態における携帯電話機の機能構成の一例を示す図である。
【図５】持ち物一覧テーブルの一例を示す図である。
【図６】ＩＣタグ検知処理の実行に係る検知装置側制御部の処理フローを示す図である。
【図７】ＩＣタグ検知システムの全体構成の変形例を示す図である。
【符号の説明】
１　　　　　　　　ＩＣタグ検知システム
１０　　　　　　ＩＣタグ
１２　　　　　コイル
１４　　　　　電源回路
１６　　　　　タグ側制御部
１６０　　　メモリ
１６２　　識別ＩＤ格納領域
２０　　　　　　携帯電話機
２１　　　　　ＣＰＵ
２２　　　　　操作装置
２３　　　　　表示装置
２４　　　　　スピーカ
２５　　　　　マイク
２６　　　　　アラーム装置
２７　　　　　ＲＡＭ
２８　　　　　ＲＯＭ
２９　　　　　通信装置
３０　　　　　ＩＣタグ検知装置
３２　　　　コイル
３５　　　　検知装置側制御部
３４０　　メモリ
３４２　ＩＣタグ検知プログラム
３４４　持ち物一覧テーブル
４０−１　　　　傘
４０−２　　　　財布
４０−３　　　　帽子
４０−４　　　　鞄
【図１】
2004013789.tif 000003
【図２】
2004013789.tif 000004
【図３】
2004013789.tif 000005
【図４】
2004013789.tif 000006
【図５】
2004013789.tif 000007
【図６】
2004013789.tif 000008
【図７】
2004013789.tif 000009